(57)【要約】【課題】乗かごへのレール油の飛散を防ぐことができるエレベータのガイドレールの固定装置の提供。【解決手段】ガイドレール３と接触するガイドレールブラケット９の接触面に、鉛直下方向にその幅寸法がガイドレール３に沿って小さくなるテーパ状部１０ａ設けるとともに、前述のガイドレールブラケット９の接触面の上側にガイドレール３に向かって下方向に傾く傾斜部１０ｂを設け、さらに、このガイドレールブラケット９の接触面の下端をガイドレール３の中央に向かうように位置させた。【選択図】図３
2008044685.tif 000002
【特許請求の範囲】
【請求項１】
昇降路に立設され、乗かご、もしくはつり合いおもりの昇降を案内するガイドレールを前記昇降路の壁に固定するガイドレールブラケットを備えたエレベータのガイドレールの固定装置において、
前記ガイドレールと接触する前記ガイドレールブラケットの接触面に、鉛直下方向にその幅寸法が前記ガイドレールに沿って小さくなるテーパ状部を設けたことを特徴とするエレベータのガイドレールの固定装置。
【請求項２】
請求項１記載の発明において、
前記ガイドレールブラケットの前記接触面の上側に前記ガイドレールに向かって下方向に傾く傾斜部を設けたことを特徴とするエレベータのガイドレールの固定装置。
【請求項３】
請求項１記載または２の発明において、
前記ガイドレールブラケットの前記接触面の下端を前記ガイドレールの中央に向かうように位置させたことを特徴とするエレベータのガイドレールの固定装置。
【発明の詳細な説明】
【技術分野】
【０００１】
本発明は、乗かごやつり合いおもりの昇降を案内するガイドレールを昇降路の壁に固定するガイドレールブラケットを備えたエレベータのガイドレールの固定装置に関する。
【背景技術】
【０００２】
この種の従来技術としては、一般のエレベータにあっては、ガイドレールと乗かごを案内するガイドシューの摩擦を低減するために、ガイドレールとガイドシューの間にレール油を介在させることが行われている。このようなエレベータにおいて、レール油がガイドレールからガイドレールブラケット等に拡散し、この拡散した油が雫となり、乗かごに飛散することを防止する為に、ガイドレール中央に向かって下向きに溝を設けた構造が提案されている（特許文献１参照）。
【特許文献１】特開平７−２０６３１７号公報
【発明の開示】
【発明が解決しようとする課題】
【０００３】
前述した従来技術では、ガイドレールの乗かご側の面を垂れるレール油については、前述したガイドレールの中央に向かって下向きに設けた溝により、レール油が乗かごに飛散することを防止できた。しかし、図４に示すように、通常、ガイドレールは、据付工事時の作業性を考慮して、一体ではなく、複数本、例えば上側のガイドレール１３ａと下側のガイドレール１３ｂに分割されて接続されている。このため、上側のガイドレール１３ａのレール油は、自重により下側のガイドレール１３ｂへと下方へ垂れていき、その途中でガイドレール１３ａとガイドレール１３ｂとの接続面１３ｃに達すると、液体の性質上、表面積を最小にする力が働き、接続面１３ｃにレール油が吸い込まれる。この吸い込まれたレール油１７は、ガイドレール１３ｂの背面、つまり、昇降路の壁側の面に移動する。その後、前述の背面に移動したレール油は、ガイドレールブラケット１６に伝わり、このガイドレールブラケット１６で雫となり、結局は、乗かごに飛散してしまう。この結果、乗かご内の意匠汚損や乗客の衣類を汚すという問題があった。また、これによって、保全作業時における作業員の清掃に多大な労力が生じるという問題もあった。
【０００４】
本発明はこのような従来技術における実状からなされたもので、その目的は、乗かごへのレール油の飛散を防ぐことができるエレベータのガイドレールの固定装置の提供にある。
【課題を解決するための手段】
【０００５】
この目的を達成するために、本発明は、昇降路に立設され、乗かご、もしくはつり合いおもりの昇降を案内するガイドレールを前記昇降路の壁に固定するガイドレールブラケットを備えたエレベータのガイドレールの固定装置において、前記ガイドレールと接触する前記ガイドレールブラケットの接触面に、鉛直下方向にその幅寸法が前記ガイドレールに沿って小さくなるテーパ状部を設けたことを特徴としている。
【０００６】
このように構成した本発明は、前記ガイドレールと接触する前記ガイドレールブラケットの接触面に、鉛直下方向にその幅寸法がガイドレールに沿って小さくなるテーパ状部を設けたことから、前述のガイドレールの背面からガイドレールブラケットに伝わったレール油が、自重によってガイドレールブラケットのテーパ状部を流れるので、前述のレール油を再びガイドレールに戻すことができる。したがって、レール油の乗かごへの飛散を防ぐことができる。  
また、本発明は前記発明において、前記ガイドレールブラケットの前記接触面の上側に前記ガイドレールに向かって下方向に傾く傾斜部を設けたことを特徴としている。このように構成した本発明は、レール油を自重によりこの傾斜部を流れさせることで、レール油をさらに効率よく集め、ガイドレールブラケットの昇降路の壁側にレール油が拡散するのを防ぐことができる。
【０００７】
また、本発明は前記発明において、前記ガイドレールブラケットの前記接触面の下端を前記ガイドレールの中央に向かうように位置させたことを特徴としている。このように構成した本発明は、テーパ状部を流れるレール油をガイドレールの中央部付近に集めることができ、確実にレール油の飛散を防ぐことができる。
【発明の効果】
【０００８】
本発明は、ガイドレールと接触する前記ガイドレールブラケットの接触面に、鉛直下方向にその幅寸法がガイドレールに沿って小さくなるテーパ状部を設けたことから、レール油の乗かごへの飛散を防ぐことができ、これによって、乗かご内の汚染を防止でき、またレール油による乗客の衣類の汚染を防止できる。これに伴って、従来に比べて、保全作業時における作業員の清掃に要する労力も軽減できる。
【発明を実施するための最良の形態】
【０００９】
以下、本発明に係るエレベータのガイドレールの固定装置を実施するための最良の形態を図に基づいて説明する。
【００１０】
図１は、本発明に係るガイドレールの固定装置の一実施形態が装備されたエレベータの昇降路内の要部正面図、図２は、図１のＡ部の要部拡大図、図３は、図２のＢ方向から見た図である。
【００１１】
［本実施形態が装備されたエレベータの昇降路の構成］
図１に示すように、本実施形態が装備されたエレベータの昇降路８には、主に、上下に昇降し、人や荷物を運搬する乗かご１と、この乗かご１の端部に結合され、乗かご１を吊り上げるロープ２と、乗かご１の左右に配置され、この乗かご１の昇降する範囲に位置するガイドレール３を備えている。また、前述したように、据付工事時の作業性を考慮して、複数に分割されているガイドレール３を接続する接続板３ａと、この接続板３ａを固定するボルト３ｂを備えている。さらに、ガイドレール３に沿って、乗かご１を案内するガイドシュー４と、上側のガイドシュー４にガイドレール３と接触するように配置され、ガイドレール３とガイドシュー４の間に、乗かご１の振動抑制や、ガイドレール３とガイドシュー４の摩擦を低減するための図２に示すレール油１７ａを塗布するオイラー４ａを有している。
【００１２】
［本実施形態の構成］
このようなエレベータに備えられる本実施形態は、図１、図２に示すように、主に、昇降路８の壁にガイドレール３を固定するガイドレールブラケット９と、ガイドレール３をガイドレールブラケット９に固定するガイドレールクリップ９ａを備えている。また、図３に示すように、ガイドレール３とガイドレールブラケット９との接触面に、鉛直下方向にその幅寸法がガイドレール３に沿って小さくなるテーパ状部１０ａを備えている。さらに、図２、図３に示すように、ガイドレール３とガイドレールブラケット９との接触面の上側には、このガイドレール３に向かって下方向に傾く傾斜部１０ｂを備えている。さらに、図３に示すように、ガイドレールブラケット９のガイドレール３との接触面の下端をガイドレール３の中央に向かうように位置させてある。
【００１３】
このように構成した本実施形態において、図２に示すレール油１７ａは、エレベータの性能を確保するために、必要量より多めにガイドレール３とガイドシュー４の間に塗布される。これにより、このガイドレール３とガイドシュー４の間に溜まっていられないレール油１７ａは余剰油として、自重でガイドレール３の下方に垂れてくる。この垂れてきたレール油１７ａは、複数本のガイドレールから成るガイドレール３の接続面に吸い込まれ、ガイドレール３の背面、つまり、昇降路の壁側の面に移動する。このレール油１７ａは、自重により、ガイドレールブラケット９の傾斜部１０ｂに沿って、このガイドレールブラケット９の両端側に流れる。そして、この両端側に流れたレール油１７ａは、テーパ状部１０ａに沿って流れ、前述したように、ガイドレール３とガイドレールブラケット９との接触面の下端を、ガイドレール３の中央に向かうように位置させたことにより、ガイドレール３にレール油１７ａが再び戻る。このようにして、レール油１７ａを、ガイドレール３の最下端まで飛散せずに誘導できる。
【００１４】
［本実施形態の効果］
このように構成した本実施形態は、ガイドレール３と接触するガイドレールブラケット９の接触面に、鉛直下方向にその幅寸法がガイドレール３に沿って小さくなるテーパ状部１０ａを設けたことから、レール油１７ａの乗かご１への飛散を防ぐことができ、これによって、乗かご１内の汚染を防止でき、またレール油１７ａによる乗客の衣類の汚染を防止できる。これに伴って、保全作業時における作業員の清掃に要する労力も軽減できる。
【００１５】
また、ガイドレール３と接触するガイドレールブラケット９の接触面の上側にガイドレール３に向かって下方向に傾く傾斜部１０ｂを設けたことから、レール油１７ａを自重によりこの傾斜部１０ｂを流れさせることで、レール油１７ａをさらに効率よく集め、ガイドレールブラケット９の昇降路８の壁側にレール油１７ａが拡散するのを防ぐことができる。
【００１６】
また、ガイドレール３と接触するガイドレールブラケット９の接触面の下端をガイドレール３の中央に向かうように位置させたことから、テーパ状部１０ａを流れるレール油１７ａをガイドレール３の中央部付近に集めることができ、確実にレール油１７ａの飛散を防ぐことができる。
【００１７】
なお、本実施形態では、乗かご１の昇降を案内するガイドレール３の固定装置について述べたが、乗かご１に相対する位置に設けたつり合いおもりの昇降を案内するガイドレールの固定装置についても同様の構成とすることができる。このように構成しても、前述した実施形態と同様の作用効果を得ることができる。
【図面の簡単な説明】
【００１８】
【図１】本発明に係るエレベータのガイドレールの固定装置の一実施形態が装備された昇降路内の要部正面図である。
【図２】図１のＡ部の要部拡大図である。
【図３】図２のＢ方向から見た図である。
【図４】従来技術の問題点を示す要部拡大図である。
【符号の説明】
【００１９】
１    乗かご
２    ロープ
３    ガイドレール
３ａ  接続板
３ｂ  ボルト
４    ガイドシュー
４ａ  オイラー
８    昇降路
９    ガイドレールブラケット
９ａ  ガイドレールクリップ
１０ａ  テーパ状部
１０ｂ  傾斜部
１３ａ  ガイドレール
１３ｂ  ガイドレール
１３ｃ  接続面
【図１】
2008044685.tif 000003
【図２】
2008044685.tif 000004
【図３】
2008044685.tif 000005
【図４】
2008044685.tif 000006